(57)【要約】【課題】携帯し易く、打球抵抗が少ないティの提供。【解決手段】ティを脚部と支持部に分離し、回動可能に接続して、携帯時の折り畳みを可能とすると共に、支持部と脚部をストッパーにより直線状態として、支持部の回動方向を打球方向とし、ティアップすることで打球時にボールと共に支持部が回動し倒れ打球抵抗が少なく、携帯し易いティとする。【選択図】  図２
2007037621.tif 000002
【特許請求の範囲】
【請求項１】
ゴルフボールを載せティアップするティに於いて、ティを地面に差し込んで自立させる脚部とボールを載せる支持部に分離し、脚部と支持部を脚部に対して支持部を回動可能に連結し、脚部に対する支持部の回動の一方向へ、回動を制限するストッパーを設け、脚部と支持部がストッパーにより回動が制限された状態で、回動軸の軸芯に対し支持部に載せたボールの重心線をボールの重力が脚部に対する支持部の回動が制限される側に回動力として働く様にずらしたティ
【請求項２】
針金の一方をコイル状に巻き軸穴とした針金を脚部とし、軸穴に回動軸を挿入することで脚部と支持部を回動可能に連結した請求項１記載のティ
【請求項３】
脚部が支持部に当接するまで回動可能として、脚部が支持部に当接する部位の支持部に脚部を着脱可能に支持する峡溝を設けた請求項１又は２記載のティ
【請求項４】
脚部又は／及び支持部の全体又は一部を磁性体として、ティを磁石に離着可能にした請求項１、２又は３記載のティ
【発明の詳細な説明】
【技術分野】
【０００１】
本発明はゴルフボールをティアップする際に用いるティに関する。
【背景技術】
【０００２】
ティはゴルフボールを打ち易い高さにティアップする器具で、一端に釘状の脚部他端にボールを載せる皿状の支持部を設けた棒状の形状が一般的であり、携帯しにくい、紛失しやすい、打球の抵抗となる等の課題がある。
【０００３】
携帯の改良に関しては特許文献１の第７実施例に脚部をリング状とし、支持部を脚部に揺動支持して折りたたむ案が示されているが平面でのみの使用であり、高さ調整のため上下スライド自在とする等複雑な構造となっている。
【０００４】
打球の抵抗に関する改良は特許文献２にティの支持部となる部位を多数の剛毛として、剛毛が撓ることによって抵抗を少なくする案が提示されているが、剛毛を痛めないように携帯しなければならない。
【特許文献１】特開平４−１８９３７４
【特許文献２】特表２００２−５３６０８７
【発明の開示】
【発明が解決しようとする課題】
【０００５】
本発明は前述したティの課題に鑑み、打球の抵抗が少なく、携帯し易いティを提供することである。
【課題を解決するための手段】
【０００６】
前述の課題を解決するために、ティを地面に差し込んで自立させる脚部とボールを載せる支持部に分離し、脚部と支持部を脚部に対して支持部を回動可能に連結し、脚部に対する支持部の回動の一方向へ、回動を制限するストッパーを設けたティとして、携帯時には回動可能側に回動折り畳み、打球時は支持部がストッパーで制限され脚部に直立した状態とし、支持部の回動可能側を打球方向として脚部を地面に差し込んで自立させて、支持部にボールを載せ、打球時に支持部がボールと共に打球方向に回動し倒れ打球抵抗の少ないティとする。
【０００７】
さらに脚部と支持部がストッパーにより回動が制限された状態で、回動軸の軸芯に対し支持部に載せたボールの重心線をボールの重力が脚部に対する支持部の回動が制限される側に回動力として働く様にずらしたティとして、支持部の回動可能側を打球方向として脚部を地面に差し込んで自立させて、支持部がストッパーにより回動が制限された状態として支持部にボールを載せティアップすると、ボールの重力が支持部をストッパーで回動が制限されている側に回動させ力として働き、ボールを載せたティアップ状態が安定化するティとなる。
【０００８】
針金の一方をコイル状に巻き軸穴とした針金を脚部とし、安価なティの製造を可能とする。
【０００９】
脚部が支持部に当接するまで回動可能として、脚部が支持部に当接する部位の支持部に脚部を着脱可能に支持する峡溝を設け、折り畳んで脚部を峡溝に着し、安定した折り畳み状態を保ち、さらに脚部又は／及び支持部の全体又は一部を磁性体とし、ティを磁石に離着可能にして、折り畳んだティを、帽子等に取り付けた磁石を固着したネクタイピン状のティ保持具に着持して携帯出来るティとする。
【発明の効果】
【００１０】
本発明のティはティを脚部と支持部に分離し、回動可能に接続して、支持部と脚部をストッパーにより回動が制限された状態として、支持部の回動可能側を打球方向として脚部を地面に差し込み、ティアップすると、ボールの重力により安定したテーアップ状態を維持し、打球時にボールと共に支持部が回動し倒れるので、ティアップし易く、打球抵抗が少ないティである。さらに支持部と脚部が回動軸で折り畳み出来ると共に、支持部を磁性体とすることで、帽子等に取り付ける磁石を固着したネクタイピン状のティ保持具に着持して携帯出来るティとなる。
【発明を実施するための最良の形態】
【００１１】
本発明の実施の形態を、図面を参照しつつ説明する。
本実施例は、脚部を針金、支持部を弾性プラスチックにより構成された例であるが、勿論これに限るものではない。
【００１２】
ティを脚部２と支持部１に分離する。脚部２の正面図を図５，側面図を図６に示す。一方を地面に差し込む為の釘部２ａとし、他方をコイル状に巻き軸受け部２ｂとして、軸穴２ｃ形成する。針金としてバネ材又は超弾性材とすれば壊れにくく、使いやすくなる。
【００１３】
支持部１の正面図を図７、側面図を図８に示す。図９はＣ−Ｃ縦断面図、図１０はＤ−Ｄ縦断面図である。図８で図面に向かって左が飛球側で前面、右を後面、上を上面、下を下面として説明する。支持部１の上部に皿形状のボールを載せる皿１ａを、下部には連結する連結部を設ける。
【００１４】
連結部は前面及び下面に開口した開口部１ｆを開設し、開口部１ｆの一方の側面に、軸芯Ｘが皿１ａを水平にさせたときに皿１ａの中心鉛直線（皿１ａにボールを載せたときのボールの重心線）Ｙより前面側にＺずれた位置とした回動軸１ｃ装設する。回動軸１ｃの中心に穴１ｇを設ける。開口部１ｆの他方の側面には脚部２を回動軸１ｃに挿入するための挿入孔１ｅを回動軸１ｃを中心に開孔する。  
【００１５】
開口部１ｆに対向する後面壁下部に、支持部１の後面への回動を制限するストッパー４を、ティを地面に差し込んで自立させ皿１ａが水平状態でストッパー４が脚部１に当接するように設ける。
【００１６】
支持部１を前面に回転折り畳む時、脚部２が当たる支持部１の外壁に峡溝５を設ける。
【００１７】
前述に記載の支持部１と脚部２を組付けたティの正面図を図１、側面図を図２、Ａ−Ａ縦断面図を図３、Ｂ−Ｂ縦断面図を図４に示す。挿入口１ｅより脚部２を支持部１の回動軸１ｃに脚部２の軸穴２ｃを合わせ挿入する。回動軸１ｃと軸穴２ｃの間に安定した回動とするために、筒状のフイルムを介在させる事もある。脚部２の抜け防止と回動軸１ｃの補強を兼ねた蓋３を、蓋３の補強軸３ｂを穴１ｇに挿入し、回動軸１ｃの端面に蓋３の当たり面３ａを当接させ取り付ける。
【００１８】
蓋３を磁性体とすることで、磁石に離着可能とする。
【００１９】
前述の如く組み付けたティは脚部２を支持部１に対し約１８０度回動して、脚部２を支持部１外壁の峡溝５に着し折り畳み図１２として、帽子等に差し込み取り付けた磁石７ｂを固着したピン７ａからなるネクタイピン状のティ保持具７の磁石７ｂに蓋３を当接させ着し、図１３に示す如くに携帯する。
【００２０】
脚部２と支持部１を支持部１のストッパー４が脚部２に当接するまで回動して直線状化し、支持部の回動可能側を打球方向として、脚部２の釘部２ａを地面に差し込みティアップする。ボール６を載せる皿１aの中心鉛直線（ボールの重心線）Ｙが回動軸１ｃの軸芯Ｘより後面側になっているので、ボール６の重力は支持部１のストッパー４を脚部２に当接させる方向に回動力として働きボールの落下等がない安定したティアップが出来る。
【００２１】
ティアップしたボール６を打球するとボール６と共に支持部１が打球方向に回動し倒れ、打球の抵抗がない。クラブヘッドがボールを打つ力が大きく、支持部１に伝達される力も大きいので、支持部１の材料は弾性体とし、瞬時、変形して力を吸収し回動軸１ｃへ加わる力を小さくする事が望ましく、本実施例に於いても弾性プラスチック又はゴムを想定している。又脚部の針金は打球の際の力、地面に差す際の変形等からバネ材又は超弾性材を用いるのがよい。支持部の上部に回動可能側を示す突起等の目印を設け、ティアップする際の支持部の回動可能側を明確にする事もある。
【図面の簡単な説明】
【００２２】
【図１】本発明に係るティの一実施例の正面図
【図２】本発明に係るティの一実施例の側面図
【図３】本発明に係るティの一実施例のＡ−Ａ縦断面図
【図４】本発明に係るティの一実施例のＢ−Ｂ縦断面図
【図５】本発明に係るティの一実施例の脚部正面図
【図６】本発明に係るティの一実施例の脚部側面図
【図７】本発明に係るティの一実施例の支持部正面図
【図８】本発明に係るティの一実施例の支持部側面図
【図９】本発明に係るティの一実施例のＣ−Ｃ断面図
【図１０】本発明に係るティの一実施例のＤ−Ｄ断面図
【図１１】本発明に係るティの一実施例のティアップ時の部分縦断面図
【図１２】本発明に係るティの一実施例の折り畳み時の縦断面図
【図１３】本発明に係るティの一実施例のティ保持具に着した時の正面図
【符号の説明】
【００２３】
１―――支持部    １ａ―――皿    １ｂ―――側壁    １ｃ―――回動軸    １ｅ―――挿入孔                    １ｆ―――開口部      ２―――脚部    ３―――蓋            ４―――ストッパー
５―――峡溝          ６―――ボール          6a―――ボールの重心        Ｘ―――軸芯        Ｙ―――皿の中心鉛直線      
【図１】
2007037621.tif 000003
【図２】
2007037621.tif 000004
【図３】
2007037621.tif 000005
【図４】
2007037621.tif 000006
【図５】
2007037621.tif 000007
【図６】
2007037621.tif 000008
【図７】
2007037621.tif 000009
【図８】
2007037621.tif 000010
【図９】
2007037621.tif 000011
【図１０】
2007037621.tif 000012
【図１１】
2007037621.tif 000013
【図１２】
2007037621.tif 000014
【図１３】
2007037621.tif 000015